(57)【要約】【課題】光ピックアップの調整機構を設けることなく構成でき、小型化、コスト削減を図る上で有利な光ディスク装置を提供する。【解決手段】光ピックアップ１５は、キャリッジ１６に配設され、キャリッジ１６の両側部に設けられたガイド軸挿通孔１６０２には、キャリッジ送り機構の一部を構成する２本のガイド軸１８が挿通されている。２本のガイド軸１８の両端の取り付け部２０がそれぞれシャーシ１２と一体に設けられ、各取り付け部２０は、それぞれガイド軸１８の端部の断面よりも大きい断面を有するガイド軸収容空間２００２を備え、２本のガイド軸１８の両端は、それぞれ各取り付け部２０のガイド軸収容空間２００２に配置され接着剤により固定されている。【選択図】        図１
2006120196.tif 000002
【特許請求の範囲】
【請求項１】
シャーシ上に配設され光ディスクが載置される載置面を有しこの載置面に載置された光ディスクを回転駆動するスピンドルモータと、
光ピックアップが搭載されたキャリッジと、
前記キャリッジを前記光ディスクの径方向に移動させるキャリッジ送り機構とを備え、
前記光ピックアップにより光ディスクへの情報の記録および／または再生を行なう光ディスク装置であって、
前記キャリッジ送り機構は、互いに平行して前記光ディスクの径方向に延在し前記キャリッジに滑動可能に結合する２本のガイド軸を備え、
前記シャーシに、前記２本のガイド軸の両端の取り付け部がそれぞれ前記シャーシと一体に設けられ、
前記各取り付け部は、それぞれ前記ガイド軸の端部の断面よりも大きい断面を有するガイド軸収容空間を備え、
前記２本のガイド軸の両端は、それぞれ前記各シャーシの取り付け部のガイド軸収容空間に配置され該ガイド軸収容空間内において前記ガイド軸収容空間を形成するシャーシの壁面との間に充填された接着剤より固定されている、
ことを特徴とする光ディスク装置。
【請求項２】
前記シャーシは板金製で、前記シャーシは前記スピンドルモータを保持するシャーシ本体を備え、前記各取り付け部は、前記シャーシ本体から屈曲され前記スピンドルモータの載置面に対して直交する方向に延在する取り付け片と、前記ガイド軸の端部の断面よりも大きい寸法の幅で前記取り付け片の延在方向に沿って延在する長溝で構成され、前記ガイド軸収容空間は前記長溝で構成されていることを特徴とする請求項１記載の光ディスク装置。
【請求項３】
前記シャーシは合成樹脂製で、前記シャーシは前記スピンドルモータを保持するシャーシ本体を備え、前記各取り付け部のガイド軸収容空間は、前記載置面の下方に開放状に形成され、前記接着剤は、前記ガイド軸の端部の外周面と、前記外周面に臨み前記ガイド軸収容空間を構成する壁面との間に充填されていることを特徴とする請求項１記載の光ディスク装置。
【請求項４】
前記接着剤は紫外線が照射されることで硬化する紫外線硬化型接着剤であることを特徴とする請求項１記載の光ディスク装置。
【発明の詳細な説明】
【技術分野】
【０００１】
本発明は光ディスク装置に関する。
【背景技術】
【０００２】
ＣＤ、ＣＤ−ＲＯＭ、ＤＶＤ−ＲＯＭなどのような光ディスクに情報を記録し、または、記録された情報を再生し、または、記録及び再生を行なう光ディスク装置は、一般に、シャーシ上に配設され光ディスクが載置される載置面を有しこの載置面に載置された光ディスクを回転駆動するスピンドルモータと、光ピックアップが搭載されたキャリッジと、キャリッジを光ディスクの径方向に移動させるキャリッジ送り機構とを備えている。
【０００３】
近年、光ディスク装置は、半導体レーザの短波長化と対物レンズの高ＮＡ（ＮＵＭＥＲＩＣＡＬ  ＡＰＥＲＴＵＲＥ）化により微小光スポットを実現し、高密度な大容量記録／再生を可能にしている。
他方、光ディスク面に対する光ピックアップのレンズ光軸の傾き（スキュー）がある場合では、ＮＡの３乗に比例して大きなコマ収差が生じ、このため、チルト補正手段の導入が必要となる。
また、高ＮＡ化により光ピックアップを構成する対物レンズと光ディスク面との間の距離（Ｗｏｒｋｉｎｇ  Ｄｉｓｔａｎｃｅ）が狭くなるため、対物レンズと光ディスクが衝突することを防ぐために光ピックアップの高さ調整が必要となる。
【０００４】
このようなことから従来では、シャーシに、光ピックアップの傾きや高さを調整する調整機構を設け、この調整機構によって光ピックアップのレンズ光軸の傾きや高さ調整を行なう光ディスク装置が提案されている（例えば特許文献１）。
【特許文献１】特開２００２−２６９７６８号公報
【発明の開示】
【発明が解決しようとする課題】
【０００５】
上述の従来技術によれば、調整機構を設ける必要があるため、部品点数が増大して構成が複雑となり、部品コストおよび組み立てコストを削減する上で不利があり、小型化を図る上でも不利があった。
本発明は前記事情に鑑み案出されたものであって、本発明の目的は、調整機構を設けることなく、また、光ピックアップのレンズ光軸の傾きや高さ調整を省略でき、コスト削減を図る上でまた小型化を図る上で有利な光ディスク装置を提供することにある。
【課題を解決するための手段】
【０００６】
前記目的を達成するため本発明は、シャーシ上に配設され光ディスクが載置される載置面を有しこの載置面に載置された光ディスクを回転駆動するスピンドルモータと、光ピックアップが搭載されたキャリッジと、前記キャリッジを前記光ディスクの径方向に移動させるキャリッジ送り機構とを備え、前記光ピックアップにより光ディスクへの情報の記録および／または再生を行なう光ディスク装置であって、前記キャリッジ送り機構は、互いに平行して前記光ディスクの径方向に延在し前記キャリッジに滑動可能に結合する２本のガイド軸を備え、前記シャーシに、前記２本のガイド軸の両端の取り付け部がそれぞれ前記シャーシと一体に設けられ、前記各取り付け部は、それぞれ前記ガイド軸の端部の断面よりも大きい断面を有するガイド軸収容空間を備え、前記２本のガイド軸の両端は、それぞれ前記各シャーシの取り付け部のガイド軸収容空間に配置され該ガイド軸収容空間内において前記ガイド軸収容空間を形成するシャーシの壁面との間に充填された接着剤より固定されていることを特徴とする。
【発明の効果】
【０００７】
本発明によれば、光ピックアップの調整機構を設けることなく光ディスク装置を構成でき、装置の小型化を図る上で有利となる。
また、光ピックアップの調整作業を省略することも可能となり、部品点数、組み立て工数を削減し、コスト削減を図る上で有利となる。
【発明を実施するための最良の形態】
【０００８】
本発明は、２本のガイド軸の両端の取り付け部がそれぞれシャーシと一体に設けられ、各取り付け部は、それぞれガイド軸の端部の断面よりも大きい断面を有するガイド軸収容空間を備え、２本のガイド軸の両端がそれぞれガイド軸収容空間に配置され該ガイド軸収容空間内においてガイド軸収容空間を形成するシャーシの壁面との間に充填された接着剤より固定することで上記の目的を達成した。
【実施例１】
【０００９】
以下、本発明の実施例について図面を参照して説明する。
図１は光ディスク装置１０の要部の斜視図、図２は光ディスク装置１０の構成を示すブロック図である。
【００１０】
図１に示すように、光ディスク１００(図２)に情報を記録／再生する光ディスク装置１０は、シャーシ１２と、シャーシ１２に搭載されたスピンドルモータ１４と、光ピックアップ１５が搭載されたキャリッジ１６と、このキャリッジ１６を移動させるキャリッジ送り機構とを備える。
シャーシ１２は、スピンドルモータ１４が搭載されるシャーシ本体１２０２を備え、シャーシ本体１２０２の外縁に設けられた取付片１２０４を介しシャーシ１２は光ディスク装置１０の筐体に取着される。
スピンドルモータ１４はシャーシ本体１２０２の一側部に配置されている。
シャーシ本体１２０２の他側部には開口１２０６が設けられ、キャリッジ１６と前記キャリッジ送り機構は開口１２０６に配設されている。
【００１１】
スピンドルモータ１４は、図５に示すようにその下面に取り付け板１４０２を有し、この取り付け板１４０２を介してスピンドルモータ１４はシャーシ１２に取り付けられている。
図１に示すように、スピンドルモータ１４の上部外周部に光ディスク１００が載置される環状のディスク載置面１４０４が設けられている。
また、スピンドルモータ１４は、上部中央に光ディスク１００の中心孔に挿入され光ディスクをディスク載置面１４０４に押さえつけるチャック機構１４０６を備え、実施例では、光ディスクの中心孔の縁に係合する３つの係止爪１４０８を備えている。
【００１２】
光ピックアップ１５は、対物レンズ１５０２がキャリッジ１６の上面の上方に臨むようにキャリッジ１６に配設され、キャリッジ１６の両側部にガイド軸挿通孔１６０２が設けられている。
ガイド軸挿通孔１６０２には、キャリッジ送り機構の一部を構成する２本のガイド軸１８（例えば主軸と副軸）がガイド軸挿通孔１６０２に挿通され、キャリッジ１６はガイド軸１８、１８により、ディスク載置面１４０４に載置された光ディスク１００の径方向に移動可能に支持されている。
前記キャリッジ送り機構は、キャリッジ１６を光ディスク１００の径方向に移動させるもので、図２に示すように、例えば、送りモータ２０、送りモータ２０により回転されキャリッジの雌ねじに噛合する雄ねじ２２などで構成されている。
【００１３】
図２に示すブロック図を参照して光ディスク装置１０の制御系について説明すると、制御系はコントローラ２００や信号処理回路３００などを備えている。
本実施例では、コントローラ２００や信号処理回路３００を介し、送りモータ２０の回転駆動によりキャリッジ１６が光ディスクの径方向に移動し、ＣＤ、ＣＤ−ＲＯＭ、ＤＶＤ−ＲＯＭなどのような光ディスクに対して光ピックアップ１５から光ビームが照射され光ディスク１００に情報が記録され、または、記録された情報が再生され、または、記録及び再生が行なわれる。
コントローラ２００は、スピンドルモータ１４および送りモータ２０の回転制御、光ピックアップ１５のフォーカシング方向およびトラッキング方向のサーボ制御、光ピックアップ１５の光ビームの出力制御や再生信号の復号処理などを行なうように構成されている。
信号処理回路３００は、前記再生信号に基づいて光ディスク１００に記録されている情報の再生を行ない、また、外部から入力される情報の光ディスク１００への記録をコントローラ２００を介して行なうように構成されている。
【００１４】
本実施例では、シャーシ１２に、２本のガイド軸１８の両端の取り付け部２０がそれぞれシャーシ１２と一体に設けられている。
各取り付け部２０は、それぞれガイド軸１８の端部の断面よりも大きい断面を有するガイド軸収容空間２００２を備えている。
２本のガイド軸１８の両端は、それぞれシャーシ１２の各取り付け部２０のガイド軸収容空間２００２に配置され該ガイド軸収容空間２００２内においてガイド軸収容空間２００２を形成するシャーシ１２の壁面２０２０（図６）との間に充填された接着剤により固定されている、
本実施例では、シャーシ１２は板金製で、各取り付け部２０は、シャーシ本体１２０２の開口１２０６に臨む箇所から下方に屈曲されスピンドルモータ１４のディスク載置面１４０４に対して直交する方向に延在する４つの取り付け片２００４と、ガイド軸１８の端部の断面よりも大きい寸法の幅で各取り付け片２００４の延在方向に沿って延在する長溝２００６で構成され、ガイド軸収容空間２００２は長溝２００６で構成されている。
そして、光ピックアップ１５は、ディスク載置面１４０４およびディスク載置面１４０４の中心を基準とした所定の位置に高さ、タンジェンシャルスキュー、ラジアルスキューが設計値通りに合わされて配置されている。
【００１５】
次に、実施例の光ディスク装置１０の組み立てについて説明する。
この組み立てでは、例えば、組み立て治具５０が用いられる。
図３は組み立て治具５０の斜視図である。
図３に示すように、組み立て治具５０は、厚さを有する板状のベース５２と、ベース５２に設けられたキャリッジ用開口５４と、ベース５２に設けられたスピンドルモータ用開口５６と、スピンドルモータ用載置面５８と、４つの位置決めピン６０とを備えている。
キャリッジ用開口５４は、平面視長方形を呈しベース５２に厚さ方向に貫通形成されており、キャリッジ１６を収容可能な大きさで形成されている。
スピンドルモータ用開口５６は、平面視正円を呈しベース５２の厚さ方向に貫通形成され、スピンドルモータ１４のチャック機構１４０６を収容可能な大きさで形成されている。
スピンドルモータ用載置面５８は、ベース５２の上面５２０２においてこの上面５２０２から突設され、スピンドルモータ用開口５６の外周全周にわたって円環状に延在形成され、単一の平面で構成されている。スピンドルモータ用載置面５８はベース５２の厚さ方向の基準面となるものである。
４つの位置決めピン６０は、ベース５２の上面５２０２においてキャリッジ用開口５４の四隅近傍箇所に突設されている。
４つの位置決めピン６０は、図４に示すように、ガイド軸挿入孔１６０２に２本のガイド軸１８が挿通されたキャリッジ１６をキャリッジ用開口５４に位置させた際に各ガイド軸１８の両端近傍箇所が各位置決めピン６０の上端面６００２に当接されるように配置されている。
４つの位置決めピン６０の高さは、スピンドルモータ用載置面５８を基準として正確に形成され、すなわち、４つの位置決めピン６０の高さ（上端面６００２の高さ）は、スピンドルモータ用載置面５８と同様に基準面として形成されている。
【００１６】
次に、上記の組み立て治具５０を用いた光ディスク装置１０の組み立てについて説明する。
図４、図５は光ディスク装置１００の組み立ての説明図、図６はガイド軸１８とシャーシ１２の取り付け部２０の拡大斜視図である。なお、図４においては図面を簡素化するためにシャーシ１２の図示を省略している。
なお、シャーシ１２には既にスピンドルモータ１４が取着され、キャリッジ１６には光ピックアップ１５が既に配設されている。
まず、２本のガイド軸１８をキャリッジ１６のガイド軸挿入孔１６０２に挿通する。
次いで、２本のガイド軸１８が挿通されたキャリッジ１６をキャリッジ用開口５４に臨ませ、２本のガイド軸１８の各両端を、各取り付け片２００４の長溝２００６に挿入する。
次に、上述のようにキャリッジ１６が組み込まれたシャーシ１２全体を反転させ、スピンドルモータ１４のディスク載置面１４０４を組み立て治具５０のスピンドルモータ用載置面５８に載置し、２本のガイド軸１８の各両端を対応する位置決めピン６０の上端面６００２に載置する。
このように載置することでスピンドルモータ１４のディスク載置面１４０４を基準として２本のガイド軸１８の両端の高さ、すなわち、光ディスク１００の記録面に対する光ピックアップ１５の高さ、タンジェンシャルスキュー、ラジアルスキューが設計値通りに合わされることになる。
そして、長溝２００６の壁面（ガイド軸収容空間２００６を形成するシャーシ１２の壁面１２２０）とガイド軸１８の外周面との間に紫外線硬化型の接着剤を充填し、充填された接着剤に紫外線を照射して硬化させる。これによりシャーシ１２に２本のガイド軸１８が接着固定される。
なお、本実施例では、接着剤として協立化学産業株式会社の３０１ＧＫあるいは８８３３、または、株式会社スリーボンドの３０１３Ｄを用いている。
【００１７】
本実施例によれば、２本のガイド軸１８の両端の取り付け部２０がそれぞれシャーシ１２と一体に設けられ、各取り付け部２０は、それぞれガイド軸１８の端部の断面よりも大きい断面を有するガイド軸収容空間２００６を備え、２本のガイド軸１８の両端がそれぞれガイド軸収容空間２００６に配置され該ガイド軸収容空間２００６内においてガイド軸収容空間２００６を形成するシャーシ１２の壁面１２２０との間に充填された接着剤より固定する構成としたので、上述した組み立て治具５０を用いることで、光ピックアップ１５の高さ調整、傾き調整を省略して光ディスク装置１００を組み立てることが可能となる。
すなわち、シャーシ１２全体を反転させ、スピンドルモータ１４のディスク載置面１４０４を組み立て治具５０のスピンドルモータ用載置面５８に載置するとともに、２本のガイド軸１８の各両端を対応する位置決めピン６０の上端面６００２に載置し、ガイド軸収容空間２００６に接着剤を充填するといった極めて簡単な操作により光ディスク装置１０を組み立てることが可能となる。
したがって、光ピックアップの調整作業を省略でき、部品点数、組み立て工数を削減し、コスト削減を図る上で有利となり、また、光ピックアップ１５の調整機構を設けることなく光ディスク装置１０を構成でき、装置の小型化を図る上で有利となる。
【００１８】
なお、本実施例では、キャリッジ１６に挿通した２本のガイド軸１８を各位置決めピン６０の上端面６００２に当接することでキャリッジ１６および２本のガイド軸１８をシャーシ１２に対して位置決めして組み立てる場合について説明したが、次のような方法で組み立てることも可能である。
すなわち、スピンドルモータ１４が取着されたシャーシ１２を所定の治具上に固定した状態でスピンドルモータ１４のチャック機構１４０６に光ディスク１００を装着し、スピンドルモータ１４を回転させる。
この状態で、２本のガイド軸１８が挿通されたキャリッジ１６をロボットハンドによって把持し、光ピックアップ１５によって光ディスク１００を再生できるようにキャリッジ１６の位置を粗調整する。
そして、光ピックアップ１５から得られる光ディスク１００の再生信号が最良の特性となるようにキャリッジ１６の位置を精密に調整し、位置決めが完了したならば、実施例１と同様に、長溝２００６の壁面（ガイド軸収容空間２００６を形成するシャーシ１２の壁面１２２０）とガイド軸１８の外周面との間に紫外線硬化型の接着剤を充填し、充填された接着剤に紫外線を照射して硬化させる。
したがって、このような実施例によれば、ロボットハンドなどを用いてキャリッジ１６を動かし光ピックアップ１５の調整を行うことで光ディスク装置１０を組み立てることができ、光ピックアップ１５の調整機構を設けることなく光ディスク装置１０を構成でき、したがって、光ピックアップの調整機構を省略でき、部品点数、組み立て工数を削減し、コスト削減を図る上で有利となり、また、光ピックアップ１５の調整機構を設けることなく光ディスク装置１０を構成でき、装置の小型化を図る上で有利となる。
【実施例２】
【００１９】
以下、実施例２について説明する。
実施例２が実施例１と異なるのは、実施例１のシャーシ１２が板金製であったのに対して、実施例２のシャーシ１２が合成樹脂製である点である。
図７は実施例２における光ディスク装置１０の要部の斜視図、図８は実施例２における光ディスク装置１００の組み立ての説明図、図９は実施例２におけるガイド軸１８とシャーシ１２の取り付け部２０の拡大斜視図である。以下では実施例１と同様の部分および部材には同一の符号を付して説明を省略する。
【００２０】
図７、図９に示すように、シャーシ１２は合成樹脂製で、シャーシ１２は、スピンドルモータ１４が搭載されるシャーシ本体１２０２と、２本のガイド軸１８の両端の取り付け部２０を有し、取り付け部２０はそれぞれシャーシ１２と一体に設けられている。
スピンドルモータ１４は、図８に示すようにその下面に取り付け板１４０２を有し、この取り付け板１４０２を介してスピンドルモータ１４はシャーシ１２に取り付けられている。
図７に示すように、スピンドルモータ１４の上部外周部に光ディスク１００が載置される環状のディスク載置面１４０４が設けられている。
また、スピンドルモータ１４は、上部中央に光ディスク１００の中心孔に挿入され光ディスクをディスク載置面１４０４に押さえつけるチャック機構１４０６を備え、実施例では、光ディスクの中心孔の縁に係合する３つの係止爪１４０８を備えている。
取り付け部２０のガイド軸収容空間２００２は、取り付け部２０を構成する壁面２０３０で形成されディスク載置面１４０４の下方に開放状に形成されている。
各ガイド軸収容空間２００２は、それぞれガイド軸１８の端部の断面よりも大きい断面を有している。
【００２１】
実施例２の構成を有する光ディスク装置１０によっても、実施例１と同様に組み立て治具５０を用いることで、あるいは、ロボットハンドを用いることで簡単に組み立てることが可能となる。
すなわち、組み立て治具５０を用いると、光ピックアップの調整機構を省略でき、部品点数、組み立て工数を削減し、コスト削減を図る上で有利となり、また、光ピックアップ１５の調整機構を設けることなく光ディスク装置１０を構成でき、装置の小型化を図る上で有利となる。
また、ロボットハンドなどを用いてキャリッジ１６を動かし光ピックアップ１５の調整を行うことで光ディスク装置１０を組み立てることができ、光ピックアップ１５の調整機構を設けることなく光ディスク装置１０を構成でき、したがって、光ピックアップの調整機構を省略でき、部品点数、組み立て工数を削減し、コスト削減を図る上で有利となり、また、光ピックアップ１５の調整機構を設けることなく光ディスク装置１０を構成でき、装置の小型化を図る上で有利となる。
【００２２】
なお、各実施例では、ガイド軸１８を取り付け部２０に接着する接着剤として紫外線硬化型接着剤を用いた場合について説明したが、他の接着剤、例えば熱硬化型接着剤を用いてもよい。ただし、熱硬化型接着剤を用いた場合には、シャーシ１２、光ピックアップ１５、キャリッジ１６、ガイド軸１８などを加熱する必要があるため、これらの部材に熱ストレスを与えるおそれがあるとともに、硬化時間（加熱時間）を要するが、本実施例のように紫外線硬化型接着剤を用いると、前記各部材に熱ストレスを与えることなく常温の環境下で作業を行うことができ、かつ、硬化時間（紫外線照射時間）が熱硬化型接着剤よりも短時間で済み、これらの点で有利である。
また、各実施例では、各ピン１６の上端面１６０２を平面とし、各ピン１６の上端面１６０２に各ガイド軸１８の外周面を当接することで各ガイド軸１８の高さ方向の位置決めを行う場合について説明したが、上端面１６０２の形状は任意であり、例えば上方に開放状のＶ字状の溝として形成してもよい。
【図面の簡単な説明】
【００２３】
【図１】実施例１における光ディスク装置１０の要部の斜視図である。
【図２】実施例１における光ディスク装置１０の構成を示すブロック図である。
【図３】実施例１における光ディスク装置１０の組み立て治具５０の斜視図である。
【図４】実施例１における光ディスク装置１００の組み立ての説明図である。
【図５】実施例１における光ディスク装置１００の組み立ての説明図である。
【図６】実施例１におけるガイド軸１８とシャーシ１２の取り付け部２０の拡大斜視図である。
【図７】実施例２における光ディスク装置１０の要部の斜視図である。
【図８】実施例２における光ディスク装置１００の組み立ての説明図である。
【図９】実施例２におけるガイド軸１８とシャーシ１２の取り付け部２０の拡大斜視図である。
【符号の説明】
【００２４】
１０……光ディスク装置、１２……シャーシ、１４……スピンドルモータ、１５……光ピックアップ、１６……キャリッジ、１８……ガイド軸、２０……取り付け部、２００２……ガイド軸収容空間。
【図１】
2006120196.tif 000003
【図２】
2006120196.tif 000004
【図３】
2006120196.tif 000005
【図４】
2006120196.tif 000006
【図５】
2006120196.tif 000007
【図６】
2006120196.tif 000008
【図７】
2006120196.tif 000009
【図８】
2006120196.tif 000010
【図９】
2006120196.tif 000011